(57)【要約】  【課題】リモコン装置の使い勝手を良くし、リモコン装置とカラオケ装置本体との間で曲目リストデータ等の同期更新を可能にし、且つ、最新の曲目を常に利用できるようにする。  【解決手段】複数台のリモコン装置４は、カラオケ装置本体１の曲目リストデータ等を取得可能であり、各リモコン装置４は、曲目リストデータ等を保存するためのメモリと、曲目リストデータ等を表示する操作画面を有する。各リモコン装置４とカラオケ装置本体１は、ＲＦ無線方式の電波５を介して双方向に通信可能に構成され、カラオケ装置本体１に配信される最新の曲目リストデータ等は、各リモコン装置４のメモリに同期更新して情報共有される。【選択図】  図１
2007218981.tif 000002
【特許請求の範囲】
【請求項１】
曲目リストを含む楽曲データが配信されるカラオケ装置本体を操作するためのカラオケ用リモコン装置において、該リモコン装置は、前記曲目リストを保存するためのメモリを有し、且つ、前記カラオケ装置本体に対しＲＦ無線方式の電波を介して双方向通信可能に無線接続され、該カラオケ装置本体から最新の曲目リストを無線通信により取り込んで共有できるようにしたことを特徴とするカラオケ用リモコン装置。
【請求項２】
上記カラオケ装置本体からの最新の曲目リストの取り込みは、タイマーで設定した時刻に自動的にデータ更新して取り込むようにしたことを特徴とする請求項１記載のカラオケ用リモコン装置。
【請求項３】
上記楽曲データには、曲目を検索するための曲目表示インデックスデータが含まれ、該曲目表示インデックスデータを上記カラオケ装置本体から曲目選択時に逐次取り込んで、リモコン画面に表示して曲目を検索できるように構成したことを特徴とする請求項１記載のカラオケ用リモコン装置。
【請求項４】
上記カラオケ装置本体１台に対して複数台のリモコン装置が同時使用可能に設けられていると共に、各リモコン装置に夫々ＩＤ番号が割り付けられていることを特徴とする請求項１，２又は３記載のカラオケ用リモコン装置。
【発明の詳細な説明】
【技術分野】
【０００１】
本発明はカラオケ用リモコン装置に関するものであり、特に、ネットワーク回線を使用した通信配信方式のカラオケ用リモコン装置に関するものである。
【背景技術】
【０００２】
従来、ネットワーク回線を使用した通信配信方式のカラオケシステムにおいては、曲目を選択・決定してカラオケ装置本体に送信操作するために、赤外線方式のリモコン装置が用いられている。ユーザーが赤外線方式リモコン装置を使用する際は、該リモコン装置に表示される操作画面に従って曲目を選択・決定して、リモコン装置からカラオケ装置本体に曲目コードを赤外線にて送信している（例えば特許文献１参照）。
【特許文献１】特開２０００−０２００７７号
【発明の開示】
【発明が解決しようとする課題】
【０００３】
上記特許文献１記載の赤外線方式のリモコン装置は、一方向の指向性を有するために、曲目コードの送信時に、リモコン装置とカラオケ装置本体との間に障害物がある場合、曲目コードの送信が障害物によって妨害されて失敗することがある。この曲目コード送信の失敗を回避するには、リモコン装置の送信部をカラオケ装置本体の受信部に正確に指向させて送信する必要がある。
【０００４】
又、カラオケ用のリモコン装置としては、カラオケ装置本体に配信されている曲目リストのデータをメモリに保持したものがある。これによれば、前記曲目リストが古くなって使用不可になった場合、最新の曲目リストのデータに更新する必要がある。このデータ更新を行う場合、従来、リモコン装置とカラオケ装置本体又は保守機器等とをケーブル又はコネクタ等で接続して、最新の曲目リストのデータに書き換えている。
【０００５】
この曲目リストのデータ書き換え作業は、例えば保守要員が定期的に手作業で行っているが、データ更新をケーブルまたはコネクタ接続により頻繁に行うことは、カラオケ管理面から、作業が煩雑であるうえに非常にコストがかかるため、月毎にデータ更新することが多い。従って、次回のデータ更新日までに新曲の追加などがあった場合、該新曲がリモコン画面に表示されないために、リモコン装置によって最新の曲目を利用できないという問題があった。
【０００６】
そこで、カラオケ装置本体とリモコン装置の間において曲目リスト等のデータ更新を自動化し、且つ、リモコン装置に常に最新の曲目リストを保存・利用できるようにするために解決すべき技術的課題が生じてくるのであり、本発明は該課題を解決することを目的とする。
【課題を解決するための手段】
【０００７】
本発明は上記目的を達成するために提案されたものであり、請求項１記載の発明は、曲目リストを含む楽曲データが配信されるカラオケ装置本体を操作するためのカラオケ用リモコン装置において、該リモコン装置は、前記曲目リストを保存するためのメモリを有し、且つ、前記カラオケ装置本体に対しＲＦ無線方式の電波を介して双方向通信可能に無線接続され、該カラオケ装置本体から最新の曲目リストを無線通信により取り込んで共有できるようにして成るカラオケ用リモコン装置を提供する。
【０００８】
この構成によれば、リモコン装置はＲＦ無線方式の電波を介して、カラオケ装置本体と
無線接続されてので、リモコン装置とカラオケ装置本体の間に障害物が存在していても、情報データのやり取りを双方向から通信可能になる。又、カラオケ装置本体に配信された最新の曲目リスト（曲目情報）は、電波による双方向通信により、リモコン装置のメモリに随時データ保存・更新される。
【０００９】
請求項２記載の発明は、上記カラオケ装置本体からの最新の曲目リストの取り込みは、タイマーで設定した時刻に自動的に取り込むようにした請求項１記載のカラオケ用リモコン装置を提供する。
【００１０】
この構成によれば、タイマーで設定した時刻になると、カラオケ装置本体からリモコン装置のメモリに最新の曲目リストが同期的にデータ更新される。
【００１１】
請求項３記載の発明は、上記楽曲データには、曲目を検索するための曲目表示インデックスデータが含まれ、該曲目表示インデックスデータを上記カラオケ装置本体から曲目選択時に逐次取り込んで、リモコン画面に表示して曲目を検索できるように構成して成る請求項１記載のカラオケ用リモコン装置を提供する。
【００１２】
この構成によれば、希望の曲目を選択するときに、当該曲目を検索するための曲目表示インデックスデータは、カラオケ装置本体から電波通信によりリモコン装置のメモリに逐次取り込まれる。そして、この曲目表示インデックスデータをリモコン画面に表示して、画面操作により希望の曲目を検索する。
【００１３】
請求項４記載の発明は、上記カラオケ装置本体１台に対して複数台のリモコン装置が同時使用可能に設けられていると共に、各リモコン装置にはそれぞれＩＤ番号が割り付けられている請求項１，２又は３記載のカラオケ用リモコン装置を提供する。
【００１４】
この構成によれば、１台のカラオケ装置本体に対して複数台のリモコン装置が同時使用可能に設けられているので、複数台のリモコン装置で適時にデータが同期更新される。予約済み曲目などの情報を相互に同期更新して共有される。又、複数台の各リモコン装置には、それぞれＩＤ番号が割り付けられているので、各リモコン装置を複数のユーザーが各自操作することにより、該リモコン装置をゲーム用操作手段として使用できる。
【発明の効果】
【００１５】
請求項１記載の発明は、リモコン装置はＲＦ無線方式の電波を介して無指向性にて通信できるので、両者の間に障害物が存在するか否にかかわらず、３６０度の任意方向の場所から信号を送受信できる。例えば、リモコン装置をデスクの上に置いたまま、カラオケ装置本体を遠隔操作できるので、リモコン装置の使い勝手が著しく向上する。
【００１６】
カラオケ装置本体に配信された最新の曲目リストは、無線通信によりリモコン装置に自動的にデータ保存して常時共有できるので、曲目リストをデータ更新する度に、保守要員等がリモコン装置とカラオケ端末装置をコード接続して更新する手間が省ける。
【００１７】
請求項２記載の発明は、設定時刻になると、リモコン装置に曲目リストが自動的にデータ更新されるので、請求項１記載の効果に加えて、曲目リストのデータ更新忘れを未然に防止して、リモコン装置に最新の曲目リストを常時確実に保存して利用することができる。
【００１８】
請求項３記載の発明は、リモコン装置のメモリには、曲目選択に最小限必要な曲目表示インデックスデータを逐次保存すればよいので、請求項１記載の効果に加えて、前記メモリは小容量で済み、安価なリモコン装置を使用できるメリットがある。
【００１９】
請求項４記載の発明は、カラオケ装置本体と双方向通信できる複数台のリモコン装置は、必要時にデータを同期更新できるので、請求項１，２又は３記載の効果に加えて、予約済み曲目などの有用情報を相互に共有して使用できる。又、ＩＤ番号が割り付けられたリモコン装置は、ゲーム用操作手段としても使用できるため、複数のユーザーでインタラクティブなゲームを楽しむことができる。
【発明を実施するための最良の形態】
【００２０】
本発明は、カラオケ装置本体とリモコン装置の間において曲目リスト等のデータ更新を自動化し、且つ、リモコン装置に常に最新の曲目リストを保存・利用できるようにするという目的を、曲目リストを含む楽曲データが配信されるカラオケ装置本体を操作するためのカラオケ用リモコン装置において、該リモコン装置は、前記曲目リストを保存するためのメモリを有し、且つ、前記カラオケ装置本体に対しＲＦ無線方式の電波を介して双方向通信可能に無線接続され、該カラオケ装置本体から最新の曲目リストを無線通信により取り込んで共有できるようにしたことによって達成した。
【実施例】
【００２１】
以下、本発明の好適な一実施例を図１及び図２に従って説明する。本実施例は、カラオケ装置本体（通信カラオケ端末本体）にリモコン装置をＲＦ無線方式の電波を介して、双方向で通信可能に構成したものであるが、曲目リスト等を含む楽曲データが配信されるカラオケ用のリモコン装置であれば、本発明を全て適用できる。
【００２２】
図１は、本実施例が適用されたカラオケシステムの構成を示す解説図である。同図において、１は通信カラオケのネットワーク回線に接続されたカラオケ装置本体であり、カラオケ装置本体１には、配信サーバより曲目リスト等を含む楽曲データ２が配信される。また、カラオケ装置本体１には、楽曲の歌詞や映像などを表示するためのテレビモニター３が接続されている。このカラオケ装置本体１は送受信用のアンテナを有し、且つ、該カラオケ装置本体１には、複数台のＲＦ（電波）無線方式リモコン装置４が双方向通信可能に無線接続されている。
【００２３】
各リモコン装置４は送受信用のアンテナを有し、ＲＦ無線方式の電波５を介してカラオケ装置本体１と双方向のデータ通信を行えるように構成されている。又、各リモコン装置４には、それぞれ個別にＩＤ番号が割り付けられている。リモコン装置４の入力操作方式は、図示例ではタッチパネル操作方式であるが、必要によりキーボード操作方式を採用することもできる。
【００２４】
リモコン装置４は、曲目の選択・決定、予約登録などを行うために、カラオケ装置本体１の動作を遠隔操作するためのものであり、リモコン装置４とカラオケ装置本体１は、相互に曲目コードの送信や曲目リスト等の情報データをやり取りできる。本実施例では、リモコン装置４は、電波５を介してカラオケ装置本体１に対し双方向で通信でき、カラオケ装置本体１に配信される最新の曲目リスト等の情報データを常時共有できるように構成されている。又、前記リモコン装置４は、曲目リスト等の情報データを保存するためのメモリと、該曲目リスト等の情報データを表示するための操作画面（リモコン画面）を有している。
【００２５】
この構成において、ユーザーはリモコン装置４の操作画面に曲目リストを表示して、希望の曲目を選択・決定した後、該選択・決定した曲目コードをカラオケ装置本体１に電波５にて送信する。そして、ユーザーが選定した楽曲を伴奏音楽に合わせて歌唱するときは、該楽曲の歌詞及び映像がテレビモニター３に表示される。
【００２６】
本実施例では、リモコン装置４とカラオケ装置本体１は、ＲＦ無線方式の電波５を媒介として任意方向に双方向通信できるので、リモコン装置４からカラオケ装置本体１に対し、任意の場所からアクセスして曲目コードの送信を行える。従って、従来の如くリモコン装置４の送信部を、カラオケ装置本体１の受信部に正確に指向させて送信する必要がない。よって、例えばリモコン装置４をテーブルに載置したまま、ユーザーはカラオケ装置本体１に対して自由な体勢で曲目コードを送信できる。
【００２７】
次に、リモコン装置４内部のメモリに最新の全曲目リストデータを更新して保持する場合について説明する。図２は、全曲目リストデータの同期更新の処理ステップを示すフローチャートである。カラオケ装置本体１には、最新の全曲目リストデータが適時に配信されており、該全曲目リストデータはＲＦ無線方式の双方向通信により、複数台のリモコン装置４のメモリに同期更新して書き換えすることができる。
【００２８】
このデータ書き換えの際は、先ず、ユーザーがリモコン装置４の画面上で全曲目リストデータの同期更新を要求したか否かを判断する（ステップＳ１）。その結果、同期更新が要求されていない場合は（ステップＳ１におけるＮＯ）、全曲目リストデータの取得を行わずに終了する。一方、同期更新が要求されている場合は（ステップＳ１におけるＹＥＳ）、全曲目リストデータの取得が実行され（ステップＳ２）、リモコン装置４のメモリに全曲目リストデータが同期更新して保持される（ステップＳ３）。斯くして、カラオケ装置本体１に配信されている最新の全曲目リストデータが、リモコン装置４のメモリに瞬時に同期更新される。
【００２９】
上記処理ステップでは、全曲目リストデータの同期更新の要求をユーザーが手動で行うようにしたが、タイマーにて更新時刻を設定することにより、全曲目リストデータの同期更新の要求を自動的に行うように構成してもよい。この構成によると、設定時刻になると、全曲目リストデータの取得が自動処理されるので、リモコン装置４のメモリに最新の全曲目リストデータが確実に同期更新され、データの更新を忘れることがない。
【００３０】
上記のとおり、リモコン装置４とカラオケ装置本体１は常に双方向に通信できるので、最新の曲目リスト等の情報データをカラオケ装置本体１からリモコン装置４に即時に同期更新できる。従って、最新のヒットチャートなどの有用情報は、カラオケ装置本体１と複数台のリモコン装置４とで常に共有することができる。この場合、曲目リスト等の情報データは、従来の如く保守要員等が人手作業で頻繁にデータの書き換え更新する必要がなく、瞬時かつ容易にデータの自動更新を実行できる。
【００３１】
更に、従来の赤外線方式リモコン装置では、そのメモリに保持されている曲目と、カラオケ装置本体１に配信されている曲目とは、相互に一致しないことがあった。このために、ユーザーがリモコン装置４で曲目を選択したものの、当該曲目を利用又は予約登録できないという不具合があったが、本実施例ではかかる不具合が回避される。即ち、各リモコン装置４のメモリに保持されている最新の曲目と、カラオケ装置本体１に配信されている最新の曲目とは、随時データ更新して常に一致するので、ユーザーが利用又は予約登録できない曲目（現在配信されていない曲目）を選択することがなく、配信されている全ての曲目を利用又は予約登録できる。
【００３２】
更に又、ユーザーが予約済みの曲目を確認する場合、通常、当該曲目はテレビモニター３の画面上に表示されるが、リモコン装置４からカラオケ装置本体１に対して、予約リストを要求して取り込むことにより、リモコン装置４の画面上で予約済みの曲目を容易に確認することもできる。
【００３３】
このため、テレビモニター３の画面上で楽曲の歌詞を表示したまま、テレビモニター３
の画面表示を中断することなく、リモコン装置４単体にて予約済みの曲目の並べ替え、削除等を行い、或いは、予約済みの曲目の追加・更新を行うことができる。
【００３４】
各リモコン装置４には、それぞれ個別にＩＤ番号が割り付けられている。このため、複数台のリモコン装置４を同時に使用して、１台のカラオケ装置本体１に対してデータ送受信等を独立に曲目予約や端末操作を行える。また、各リモコン装置４はカラオケ装置本体１と定期的又は随時にＲＦ無線方式の双方向通信を行うことにより、複数台の各リモコン装置４のメモリ内に保持された予約済みの曲目情報などを相互に同期更新して情報共有できる。
【００３５】
さらに、各リモコン装置４とカラオケ装置本体１は、互いに双方向に通信できるので、テレビモニター３を見ながら、複数のプレイヤーが各自リモコン装置４を使用して、楽曲に合わせたインタラクティブなゲーム等を楽しむことができる。
【００３６】
次に、本発明の他の実施例について説明する。本実施例に係る通信カラオケの構成は、図１の構成と同一であり、前記実施例とは曲目選択の処理ステップが異なる。本実施例の特徴は、曲目選択に最小限必要な曲目表示インデックスデータを逐次、カラオケ装置本体１からリモコン装置４に通信にて取り込むことにより、曲目表示インデックスデータをリモコン装置４の操作画面（タッチパネル）に表示して、希望の曲目を検索して選択・決定を行うようにした点にある。
【００３７】
ここに、曲目表示インデックスデータとしては、例えば、曲名又は歌手名をアイウエオ順に並べて、曲目を検索できるようにしたデータ、或いは、曲名又は歌手名に加えて、新譜、ジャンルもしくは年代などのキーワード入力により、曲目を検索できるようにしたデータが含まれる。
【００３８】
図３は、曲目表示インデックスデータの取得から曲目コードの送信までの処理ステップを示すフローチャートである。カラオケ装置本体１には、曲目の検索・選択に必要な最新の曲目表示インデックスデータが配信されている。曲目選択を行う際は、先ず、曲目表示インデックスデータを、無線通信によりカラオケ装置本体１からリモコン装置４のメモリに取得する（ステップＴ１）。次に、取得した曲目表示インデックスデータをリモコン装置４の操作画面に表示する（ステップＴ２）。
【００３９】
この後、ユーザーがリモコン画面上にて表示操作を行ったか否かを判断する（ステップＴ３）。その結果、表示操作を行った場合は（ステップＴ３におけるＹＥＳ）、ステップＴ１に戻る。一方、表示操作を行っていない場合は（ステップＴ３におけるＮＯ）、曲目の選択・決定を行ったか否かを判断する（ステップＴ４）。
【００４０】
その結果、曲目の選択・決定を行っていない場合は（ステップＴ４におけるＮＯ）、ステップＴ１に戻る。一方、曲目の選択・決定を行っている場合は（ステップＴ４におけるＹＥＳ）、リモコン装置４からカラオケ装置本体１に対して、選択・決定した曲目のコードの送信を行う（ステップＴ５）。
【００４１】
本実施例では、曲目選択に必要な検索データを必要時にカラオケ装置本体１から逐次取り込んで、リモコン装置４の操作画面に表示した後、該操作画面上で希望の曲目を検索し選択・決定して、曲目コードをカラオケ装置本体１に送信するものである。
【００４２】
斯くして、リモコン装置４のメモリ内に必要最小限の情報データを保存して、逐次画面表示できる。即ち、ＲＦ無線方式のリモコン装置４を採用することで、リモコン装置４のメモリ内には全曲目リストの情報データを保持することなく、ユーザーの操作に従って、
必要な情報データをテレビモニター３に逐次画面表示できる。従って、安価な小容量メモリ内蔵のリモコン装置４を使用して、最新の曲目検索データ等を常に利用できる。
【００４３】
尚、本発明は、本発明の精神を逸脱しない限り種々の改変を為すことができ、そして、本発明が該改変されたものに及ぶことは当然である。
【図面の簡単な説明】
【００４４】
【図１】本発明の一実施例を示し、カラオケシステムの構成を示す説明図（解説図）。
【図２】一実施例に係る全曲目リストデータの同期更新の処理ステップを示すフローチャート。
【図３】本発明の他の実施例に係る曲目表示インデックスデータの取得から曲目コードの送信までの処理ステップを示すフローチャート。
【符号の説明】
【００４５】
１  カラオケ装置本体
２  楽曲データ
３  テレビモニター
４  リモコン装置
５  電波
【図１】
2007218981.tif 000003
【図２】
2007218981.tif 000004
【図３】
2007218981.tif 000005